(57)【要約】【課題】  電気信号の受け渡しを行うハーネス等の電気的ケーブルを、センター飾り内に配設される基板間に無理なく配線する構造を提供する。【解決手段】  センター飾り１２内において、中継照明基板１１８が、第１照明基板１１５、第２照明基板１１１、第３照明基板１１２、第４照明基板１１３、第５照明基板１１４、及び第６照明基板１１６と夫々にハーネス１１８Ｌｅ、ハーネス１１８Ｌａ、ハーネス１１８Ｌｃ、ハーネス１１８Ｌｂ、ハーネス１１８Ｌｄ、及びハーネス１１８Ｌｆを介して接続されてなるように構成する。【選択図】      図１１
2006230895.tif 000002
【特許請求の範囲】
【請求項１】
相互に制御機能が異なる第１及び第２の基板を互いに電気的に接続してなる基板接続装置を備える遊技機用ユニット役物であって、
演出表示を行う表示装置を露出させるべき開口部を備えると共に、前記第１及び第２の基板の相互間に中継基板を備え、
前記中継基板が、前記第１の基板に備えた所定の端子に第１の電気的接続ケーブルを介して接続されるべき第１の端子と、前記第２の基板に備えた所定の端子に第２の電気的接続ケーブルを介して接続されるべき第２の端子とを備えてなる、
ことを特徴とする遊技機用ユニット役物。
【請求項２】
前記第１及び第２の基板が、前記開口部周縁部の背面の第１の位置に配置され、かつ前記中継基板が前記開口部周縁部の背面の第２の位置に配置されてなる、
ことを特徴とする請求項１に記載の遊技機用ユニット役物。
【発明の詳細な説明】
【技術分野】
【０００１】
本発明は、パチンコ機等の遊技機に用いられる遊技機用ユニット役物に関し、詳しくは、組立て及び保守を効率的にし得るように改善した遊技機用ユニット役物に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から入球した遊技球を始動チャッカー側に導くように転動させる遊技球ステージを備えたものが存在する（例えば、特許文献２参照）。
【０００５】
近年、上記のような遊技球ステージを有するパチンコ機にあって、当該ステージにおける所定の位置に球導入口を形成しておき、ワープ導入口から入球した遊技球の一部が上記球導入口への対応位置に偶然的に転動して該球導入口に落下した際、当該遊技球を略１００％の確率で始動チャッカーに入球し得るように案内する構成を備えたものも存在する（例えば、特許文献３参照）。
【０００６】
【特許文献１】特開２００３−２３６２１０号公報
【特許文献２】特開２００１−３２７６７２号公報
【特許文献３】特開２０００−５１４４８号公報
【発明の開示】
【発明が解決しようとする課題】
【０００７】
ところで、上記特許文献３に記載されるような従来のパチンコ機における制御信号の受け渡しは、パチンコ機全体の動作制御を行う主基板と、図柄表示又は音声出力等の各種動作制御を行うその他のサブ基板（副基板）とから構成され、該主基板とサブ基板とが電気的ケーブルであるハーネスにより接続されることで行われている。この態様は、遊技領域中のセンター飾り内部においても同様であり、発光素子等が実装された複数の基板同士がセンター飾りの内部でハーネスを介して接続されており、上記主基板等からの信号に基づいて各種信号の受け渡しを行うものである。このような、センター飾り内部に配設される末端の基板は、ランプ制御を行うものが複数配設される場合が通常であり、各基板同士は夫々に直接的に結線されるのが一般的な態様となっている。
【０００８】
しかしながら、上記従来のセンター飾りにおいては、末端の基板同士が直接的に結線されるため、各基板を結ぶハーネスの長さが長くなりがちとなっていた。このため、ハーネスを複数本用いる際には、これらを所定本数ごとに束ねたり、各々を折り曲げて結束した状態で配設したりすることが多く、センター飾り内部においてそれらを収納させる空間を確保することは困難であり、更に製造工程における引き回しについてもその労力は大きなものとなっていた。
【０００９】
また、ハーネスは、銅線等の導体線の周囲に薄いビニール材がコーティングされた針金状に形成されているため、曲折等の動きに対して柔軟性を示すものの、結束するために繰り返し折り曲げられたり、この結束された状態で空き空間に押圧力を加えて収納されたりしたような場合には、心部を形成する導体線の損傷を招くこともあり、接触不良や断線等の原因となる虞があった。そして、上記のような状況に起因して発生の虞がある導体線の損傷は、ハーネス全体で生じ得る障害であるため、ハーネス自体の長さが長いほど発生する可能性が増大するという懸念があった。
【００１０】
そこで本発明は、電気信号の受け渡しを行う電気的ケーブルであるハーネスを、センター飾り内に配設される基板間に無理なく配線するように構成し、搭載対象となる構造体の組立て及び保守を効率的にし得るように構成し、もって上述した課題を解決した遊技機用ユニット役物を提供することを目的とするものである。
【課題を解決するための手段】
【００１１】
請求項１に係る本発明は（例えば図１ないし図１３参照）、相互に制御機能が異なる第１の基板（１０５）及び第２の基板（１１１〜１１６）を互いに電気的に接続してなる基板接続装置を備える遊技機用ユニット役物（１２）であって、
演出表示を行う表示装置（６）を露出させるべき開口部（１１）を備えると共に、前記第１の基板（１０５）及び第２の基板（１１１〜１１６）の相互間に中継基板（１１８）を備え、
前記中継基板（１１８）が、前記第１の基板（１０５）に備えた所定の端子に第１の電気的接続ケーブル（１１８ｉｎ）を介して接続されるべき第１の端子（１１８Ａ）と、前記第２の基板（１１１〜１１６）に備えた所定の端子（１１１Ａ〜１１６Ａ）に第２の電気的接続ケーブル（１１８Ｌａ〜１１８Ｌｆ）を介して接続されるべき第２の端子（１１９ａ〜１１９ｆ）とを備えてなる、
ことを特徴とする遊技機用ユニット役物（１２）にある。
【００１２】
請求項２に係る本発明は（例えば図３ないし図１１参照）、前記第１及び第２の基板（１０５、及び、１１１〜１１６）が前記開口部（１１）周縁部の背面の第１の位置に配置され、かつ前記中継基板が前記開口部（１１）周縁部の背面の第２の位置に配置されてなる、
ことを特徴とする請求項１に記載の遊技機用ユニット役物（１２）にある。
【００１３】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１４】
請求項１に係る本発明によると、遊技機用ユニット役物が、演出表示を行う表示装置を露出させるべき開口部を備えると共に、第１及び第２の基板の相互間に中継基板を備え、中継基板が、第１の基板に備えた所定の端子に第１の電気的接続ケーブルを介して接続されるべき第１の端子と、第２の基板に備えた所定の端子に第２の電気的接続ケーブルを介して接続されるべき第２の端子とを備えてなるので、第１の基板と第２の基板とを結ぶ経路間に中継基板を配設し、この中継基板を介して互いに結線状態とすることで、電気信号のやり取りを円滑に行うことができるようになる。これにより、基板同士を電気的接続ケーブルであるハーネスで直接結線する場合に比して、短く分割したハーネスを用いて基板同士を相互に結線させることができるので、ハーネスの絡み合いや干渉が抑制できるようになる。更に、短いハーネスを用いることにより、ケーブルを収納させる際の引き回し構造が簡単化でき、ケーブルを収納するための配設空間をも節約することができるようになる。
【００１５】
また、第１の基板と第２の基板とを結ぶ際のハーネスの長さを中継基板を介することで分割して短くすることができるので、ハーネスに余剰部分が生じなくなる。これによって、ハーネスを収納し易くするように結束させる必要がなくなるので、結束させる際の折り曲げ等の押圧力が加わる機会が減少し、ハーネスの心部に設けられた導体線の損傷の発生が抑制されることとなる。
【００１６】
また、開口部を備える遊技機用ユニット役物は、全体に「ロの字」状をなしており、多くの場合、第１の基板と第２の基板とをケーブルで直線的に結線できない場合が起こり得る。例えば、第１の基板と第２の基板とをケーブルで「くの字」状となるように結線させなくてはならない際には、「くの字」の曲折した先端位置に中継基板を配設してハーネスを中継させることによってハーネスの遊び部分を無くすことができ、ハーネスの絡み合いや干渉を抑制することができるようになる。これにより、遊技機用ユニット役物を組付ける際に、ハーネスの余剰部分を噛み込んで作業が停滞すること等を防止できるので、遊技機の組付工程における作業性の向上を図ることができるようになる。
【００１７】
請求項２に係る本発明によると、第１及び第２の基板が開口部周縁部の背面の第１の位置に配置され、かつ中継基板が開口部周縁部の背面の第２の位置に配置されてなるので、第１の基板と第２の基板との結線の際に用いるハーネスの長さを分割して短くすることができることにより、ハーネスを収納させる際の引き回し構造が簡単化でき、更にハーネスを収納するための空間領域を節約することができるようになる。このことは、ハーネスの消費の節約に繋がると共に、狭小な空間である遊技機用ユニット役物自体の設計の容易化を図ることができるものとなる。
【００１８】
また、第１の基板と第２の基板とを結ぶ際のハーネスの長さを中継基板を介することで分割して短くすることができるので、ハーネスに余剰部分が生じなくなる。これによって、ハーネスの余剰部分を遊技機用ユニット役物内部に収納し易くなるように結束させる必要がなくなるので、結束させる際の折り曲げ等の押圧力がハーネスに加えられる機会が減少し、ハーネスの心部に設けられた導体線の損傷等の発生が抑制されることとなる。
【発明を実施するための最良の形態】
【００１９】
以下、本発明に係る遊技機用ユニット役物を備える遊技機の実施形態として、遊技場等に設置されるパチンコ機を例に挙げて図１ないし図１３に沿って説明する。なお、本実施の形態では、遊技機を所謂第１種特別電動役物のパチンコ機として述べるが、本発明の遊技機用ユニット役物はこれに限らず、所謂第２種特別電動役物や所謂第３種特別電動役物のパチンコ機にも適用可能であることは勿論である。
【００２０】
図１は本実施の形態におけるセンター飾りを備えたパチンコ機の外部構造を示す正面図、図２はパチンコ機の裏面を示す背面図、図３は当該パチンコ機に搭載されたセンター飾り（ユニット役物）を単体で示す斜視図、図４は当該センター飾りを示す正面図、図５は図４に示したセンター飾りを同図Ｆ-Ｆ線に沿って切断して矢視方向に見た状態で示す側面断面図、図６は図４に示したセンター飾りを同図Ｃ-Ｃ線に沿って切断して矢視方向に見た状態で示す平面断面図、図７はセンター飾りを照明ユニットと照明装置からカバーを夫々外した状態で示す正面図、図８は図７に示したセンター飾りをやや水平方向に回動させた状態で示す斜視図、図９はセンター飾りの背面図、図１０は図９のセンター飾りからカバーを外した状態で示す背面図、図１１は図９のセンター飾りにおける配線状況を示す背面図、図１２はパチンコ機の制御系を示すブロック図、図１３はパチンコ機の作用を示すフローチャートである。
【００２１】
パチンコ機１は、発射ハンドル９の操作による発射装置１２９（図１２参照）の作動で遊技球（所謂パチンコ玉）を遊技盤７の遊技領域７ａに向かって打ち出しつつ遊技を行うもので、所謂確率変動等の大当たりが発生した状態でアタッカー１７（図１参照）に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
図１に示すように、パチンコ機１は、開口を有する枠体状の筐体２と、この筐体２にヒンジ２６ａ，２６ｂを介して開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００２３】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００２４】
また、前扉３における上皿１３の下方には下皿１５が配置されており、該下皿１５の右部には、発射装置１２９を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００２５】
遊技領域７ａには、遊技球ステージＳを有するセンター飾り（遊技機用ユニット役物）１２が中央部分に配設されている。センター飾り１２の下部左方には、大当たり抽選に寄与しない一般の入賞が行われる入賞口２９，３０が配設されており、センター飾り１２の下方には、始動チャッカー１６と、アタッカー１７とが順次配設されている。
【００２６】
センター飾り１２の中央部分には開口（開口部）１１が形成されており、遊技盤７には、この開口１１から露出するように図柄表示装置（表示装置）６が設けられている。始動チャッカー１６は、開放位置と閉止位置とに開閉動作するように、始動チャッカー開閉ソレノイド１０３（図１２参照）によって作動させられる。なお、始動チャッカー１６の直上方には、所謂命釘としての一対の障害釘５９が打ち込まれている。
【００２７】
始動チャッカー１６には、大当たり抽選実行の契機となり得る入賞が行われる。また、アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２８】
更に遊技領域７ａには、図柄表示装置６の左上方に風車４４が配設されており、図柄表示装置６の下方における始動チャッカー１６の左側には、スルーゲート６１が配設されている。このスルーゲート６１は、始動チャッカー１６を開閉動作させるための抽選の契機となる遊技球通過が行われる役物である。
【００２９】
そして、遊技領域７ａにおけるスルーゲート６１、入賞口２９，３０及び始動チャッカー１６等の周囲には、遊技球ステージＳから零れた遊技球や、発射されてから遊技球ステージＳに関与せずに落下してくる遊技球を適宜散らし、或いは入球に導くようにするための障害釘５４を含む多数の障害釘が打ち込まれている。また、遊技球ステージＳにおけるワープ導入口３２の周囲及びその上方側にも、遊技球を適宜散らし、或いは入球に導くようにするための障害釘を含む多数の障害釘（図示せず）が打ち込まれている。このような本パチンコ機１では、遊技領域７に打ち出された遊技球Ｂａを始動チャッカー１６等に、遊技球ステージＳを介して入球させ又は遊技球ステージＳを介さず直接入球させ得るように遊技が進められる。
【００３０】
一方、図２に示すように、パチンコ機１の前扉３背面における上部左方には、賞球タンク１２０が取り付けられており、この賞球タンク１２０の下方に、サブ基板１０５、主基板９２及び払出し制御基板１２１が順に配置され、このサブ基板１０５及び主基板９２の左方には制御信号を中継する中継基板１１０が配置されている。
【００３１】
また、前扉３背面における上部右方には、外部端子板１２２が取り付けられており、この外部端子板１２２の下方に、賞球装置１２３、電源ユニット１２４、及び発射装置１２９用の発射制御基板１２５が順に配置されている。また、前扉３背面におけるサブ基板１０５と主基板９２の図２の左方には、中継基板１１０が配置されている。
【００３２】
これら各基板のうちで、主基板９２がパチンコ機１の動作全体を統括的に管理するものである。従って、各種制御信号は、この主基板９２から中継基板１１０を介してサブ基板１０５へと送信され、更にはサブ基板１０５から中継基板１１０を介して払出し制御基板１２１や発射制御基板１２５等の各基板へと伝達される流れとなる。
【００３３】
ここで、図２及び図１２を併せて参照して、上述した各基板間の詳細な接続関係を以下に説明し、制御信号の流れを補足する。まず、主基板９２と中継基板１１０とは、主基板９２側の端子９２ａと中継基板１１０側の端子１２６ａとに接続されたハーネス１１０ａを介して結線されており、主基板９２から中継基板１１０へと各種制御信号が送信される。そして、サブ基板１０５と中継基板１１０とは、サブ基板１０５側の端子１２７ａと中継基板１１０側の端子１２６ｂとに接続されたハーネス１１０ｂを介して結線され、上記した主基板９２からの各種制御信号を受信する。更に、サブ基板１０５と中継基板１１０とは、サブ基板１０５側の端子１２７ｂと中継基板１１０側の端子１２６ｇとに接続されたハーネス１１０ｇを介しても結線されており、サブ基板１０５から中継基板１１０へと各種制御信号が送信される。
【００３４】
そして、前述したサブ基板１０５から中継基板１１０へと送信される各種制御信号のうち、遊技球の払出しに関する制御信号は、払出し制御基板１２１側の端子１２１ａと中継基板１１０側の端子１２６ｃとに接続されたハーネス１１０ｃを介して払出し制御基板１２１へと送信される。また、サブ基板１０５から中継基板１１０へと送信される各種制御信号のうち、発射ハンドル９の操作による遊技球の発射に関する制御信号は、発射制御基板１２５側の端子１２５ａと中継基板１１０側の端子１２６ｄとに接続されたハーネス１１０ｄを介して発射制御基板１２５へと送信される。
【００３５】
この上記した中継基板１１０は、図２の上下方向（鉛直方向）に縦長の矩形状を呈しており、主基板９２等の他の各基板との距離ができ得る限り短くかつ平均的となるような形状と位置とになるように配設されている。
【００３６】
なお、本実施形態において後述する「ワープ導入」という語句は、遊技領域７ａに打ち出された遊技球を、当該遊技領域７ａの比較的下側に位置する不図示の道釘等を経ることなく、始動チャッカー１６の上に導くことを意味する概念である。また、上記「道釘」とは、遊技領域７ａにおいて始動チャッカー１６左右に打ち込まれた複数本の障害釘（図示せず）の列を意味するもので、上方から転動落下してきた遊技球を始動チャッカー１６方向に導く役割を担っている。
【００３７】
次に、センター飾り１２について図３ないし図８を参照して説明する。
【００３８】
すなわち、図３及び図４に示すように、センター飾り１２は、開口１１を中央部に有する略筒状の枠体１２ａを備えており、枠体１２ａの周囲には、その複数箇所から外方に張り出すようにブラケット部２７が形成されている。各ブラケット部２７には、夫々枠体１２ａを遊技盤７に埋め込んだ形でネジ止めするために表裏貫通した孔２７ａが形成されている。
【００３９】
センター飾り１２は、開口１１の左方に位置するワープ導入口３２と、開口１１の下方に位置する遊技球ステージＳと、開口１１の右方に位置する照明装置３９と、開口１１の上方に位置する照明ユニット２５と、照明ユニット２５の更に上方に位置する照明装置４０とを備えている。照明装置３９は、火炎状の所謂オーラが立ち上るように凹凸模様で表現された透明なレンズ部材３９ａによって覆われている。照明装置４０は、所謂オーラが立ち上るように凹凸形状で表現された透明なレンズ部材４０ａによって覆われている。なお、本実施形態における「透明」という語句は、濁りなく完全に透き通る状態のみならず、内方のＬＥＤ等の発光体から問題無く光照射させ得る全ての状態を含む概念である。
【００４０】
また、枠体１２ａの遊技球ステージＳ下方には、ステージ面に設けられた球導入案内路４２に連通する球放出口５３が形成されている。この球導入案内路４２は、後述するクルーン部材３５に備えた３つの球落下孔ｈａ，ｈｂ，ｈｃのうちの球落下孔ｈａの直下方に位置して、該球落下孔ｈａから落下した遊技球を確実に導入して球放出口５３側に導くことができるように形成されている。また球放出口５３は、始動チャッカー１６（図１参照）の直上方に位置して、放出する遊技球Ｂａが一対の障害釘５９（図１参照）の間を通って始動チャッカー１６にほぼ確実に（つまり、９７〜９９％の確率で）入賞し得るように構成されている。
【００４１】
センター飾り１２における照明ユニット２５の左側には、大当たり抽選保留表示装置４７及び特別図柄表示装置４８が相互に隣接するように配置されている。また、センター飾り１２の照明装置３９の下部側は、遊技球ステージＳの部分より下方に更に延在するように形成されており、当該延在部分の下端部近傍には表示装置４１が配置されている。なお、図４中の符号５１は、照明ユニット２５を昇降移動可能に収容する、該照明ユニット２５と正面視略同形状の凹部を示している。
【００４２】
大当たり抽選保留表示装置４９は、複数個（本実施形態では４個）を図の左右方向（横方向）に配列したＬＥＤ４７を点灯又は消灯させる発光駆動を行うことにより、大当たり抽選の複数回分（本実施形態では４回分）に対応する表示を行う（つまり、大当たり抽選の結果を表示する）ものである。特別図柄表示装置４８は、大当たり抽選の結果を特別図柄で表示するものであり、７セグメント表示装置によって構成されている。
【００４３】
表示装置４１は、普通図柄表示装置と、開放抽選の複数回分に対応する表示を行う開放抽選保留表示装置とから構成されている。該普通図柄表示装置は、スルーゲート６１への入球（球通過）の契機として行われる、始動チャッカー１６を開放させるための開放抽選の結果を、普通図柄で表示するものである。
【００４４】
一方、図３ないし図６に示すように、センター飾り１２は、遊技球ステージＳの中央部に、ワープ導入口３２と球放出口５３との間に配置されて、ワープ導入口３２から導入された遊技球の進路を振り分ける振り分け装置Ｄを備えている。振り分け装置Ｄは、クルーン部材３５を備えると共に、遊技球を始動チャッカー１６に入賞させるように導く第１ルートと、遊技球Ｂａを始動チャッカー１６に第１ルートより高い確率（つまり、９７〜９９％(略１００％)の確率）で入賞させるように導く第２ルートと、該第２ルートへの遊技球の進入を検知するフォト・インタラプタＰ（図５参照）とを備えている。
【００４５】
なお、上記「クルーン」は、底面が曲面状に形成され、且つこの底面に複数個の表裏貫通孔を備え、底面上に転動されてきた遊技球を引き続き転動させつつ、貫通孔のいずれかに落下させる役物を意味する語句である。
【００４６】
フォト・インタラプタＰは、遊技球ステージＳ側に固定された投光素子及び受光素子からなる第１センサ部（図示せず）と、上記第２ルートに進入する遊技球の当接で投光素子と受光素子の間で進退動作してオン・オフ信号を出力する遮光部材３１（図５参照）からなる第２センサ部を備えている。図５に示すように、遮光部材３１は、センター飾り１２の枠体１２ａに対して支軸３１ａを中心としてセンター飾り１２の前後方向（図５の左右方向）に揺動するように支持されており、遮光部材３１の自由状態にて前方に突出する前端部３１ｂを、上記第２ルートの球導入案内路４２内に突出自在となるように構成される。
【００４７】
図３及び図６に示すように、枠体１２ａの左側部には、ワープ導入口３２から導入された遊技球を遊技球ステージＳに向けて落下案内する落下案内通路３２ａと、該落下案内通路３２ａから落下してやや後方に案内された遊技球を遊技球ステージＳ側に放出する放出口３３とが設けられている。遊技球ステージＳの中央部分には、図４に示すように、上方に向かって山型状に突出する突起部４６が形成されており、該突起部４６の上端が当接する部分を、略球面状の底面３５ａの中心ｃとなるように位置決めされて上記クルーン部材３５が配置されている。底面３５ａの中心ｃに対応する部分は、該底面３５ａから上方に向けて若干量（例えば１ｍｍ程度）突出して形成されており、この中心ｃの周囲の前側に位置して球落下孔ｈａが、後方両側に位置して球落下孔ｈｂ，ｈｃが夫々形成されている。また、転動案内面３６，３７の後側には、案内路３４の下側にあって転動案内面３６，３７及びその付近を照明する照明装置２８が配置されている。
【００４８】
遊技球ステージ中央のクルーン部材３５の後方部分から放出口３３に亘るように案内路３４が設けられており、該案内路３４の一端が放出口３３に連絡され、他端が、後側から前側に湾曲してクルーン部材３５の底面３５ａに連絡されている。ここで、球落下孔ｈａ，ｈｂ，ｈｃのうち、球落下孔ｈａは遊技球１個の直径（例えば１１〜１２ｍｍ）より僅かに大きい内径（例えば１１．３〜１２．３ｍｍ）を有するように形成され、球落下孔ｈｂ，ｈｃは夫々球落下孔ｈａよりやや大きい内径（例えば１２〜１３ｍｍ）を有するように形成されている。そして、球落下孔ｈａは中心ｃ側に寄せて形成され、球落下孔ｈｂ，ｈｃは夫々、球落下孔ｈａと中心ｃ間の距離より若干大きく中心ｃから離間するように形成されている。
【００４９】
図３に示すように、クルーン部材３５の球落下孔ｈａの直下方には上記球導入案内路４２が形成されており、球落下孔ｈｂ，ｈｃ夫々の直下方には、山型状の突起部４６の両側傾斜面から連続し且つ曲率を異ならせて滑らかに形成される湾曲面３６ａ，３６ｂからなる転動案内面３６と湾曲面３７ａ，３７ｂからなる転動案内面３７とが設けられている。これら転動案内面３６，３７の前側には、クルーン部材３５に対応する位置にて最も高く形成された壁部５２ｂと、湾曲面３６ａに対応する位置にて壁部５２ｂより低く形成された壁部５２ａと、湾曲面３７ａに対応する位置にて壁部５２ｃより低く形成された壁部５２ｃとが配置されている。更に、壁部５２ｂの前側には、湾曲面３８ｂと、湾曲面３８ｂに連続し且つ該湾曲面３８ｂより曲率が小さい（つまり、曲率半径が大きい）湾曲面３８ａとからなる転動案内面３８が設けられている。
【００５０】
ここで、照明ユニット２５は、半透明状の特定文字を含む図柄部と非透明状の周辺部とを有する半透明パネル２５ａを備えており（図３参照）、この半透明パネル２５ａを取り外した状態にあっては、図７及び図８に示すように、半透明パネル２５ａの上記図柄部に対向する部分にジグザグ（ギザギザ）の帯状に突出形成された反射帯部５０ａを有する反射板５０を備えている。また、照明ユニット２５の内部下方には、上方に向けて投射するように配置された複数（本実施形態では４個）の発光ダイオード（以下、単にＬＥＤと言う）９０ａ，９０ｂ，９０ｃ，９０ｄが配置されている。
【００５１】
また照明装置３９は、図７及び図８に示すように、レンズ部材３９ａを取り外した状態では、以下のような構成を有している。すなわち、照明装置３９は、レンズ部材３９ａの奥側にて不図示のＬＥＤからの照射光を反射すべく同図上下方向（縦方向）にて３つに分割された反射領域４５ａ，４５ｂ，４５ｃを備えている。これら反射領域４５ａ〜４５ｃ夫々の下部には、図の上方に向けて光照射する不図示のＬＥＤを有する投射部８８ａ，８８ｂ，８８ｃが配置されている。
【００５２】
反射領域４５ａ〜４５ｃには、左右方向に並び且つ上下方向に延びる複数の帯状凹部８９…が形成されている。反射領域４５ａ，４５ｂ，４５ｃには夫々、照明装置３９の奥側に備えた不図示のＬＥＤから前側に点状に光を導く、照明装置３９の前後方向に長い３個の導光部材４３ａと３個の導光部材４３ｂと１個の導光部材４３ｃとが植設されている。これら導光部材４３ａ，４３ｂ，４３ｃにより、合計７個の星が並ぶ北斗七星の形状が具現化されている。
【００５３】
ここで、センター飾り１２の背面構造について図９ないし図１１に沿って説明する。センター飾り１２の上部に位置する照明ユニット２５の背面側には、この照明ユニット２５を演出上の所定の契機で昇降作動させる昇降作動装置７４が、カバー部材７２，７３で覆われた形で配置されている。この昇降作動装置７４は、後述する演出制御手段１０６の制御による電気モータＭの作動にて、例えば、照明ユニット２５の上昇位置にて所定の条件が成立した際、つまり、特定の所謂スーパーリーチが発生したような際に、照明ユニット２５を、一旦下降させた後に上下方向（つまり鉛直方向）に振動動作させる。
【００５４】
そして、センター飾り１２上部の照明装置４０の背面側には照明装置４０の光源となる不図示のＬＥＤを有した第１照明基板（第２の基板）１１５が配設されている。また、照明装置３９の背面側には、図７に示した導光部材４３ａの光源となる不図示のＬＥＤを有した第２照明基板（第２の基板）１１１と、図７に示した導光部材４３ｂ，４３ｃの光源となる不図示のＬＥＤを有した中継照明基板（中継基板）１１８とが配設されている。更に、この照明装置３９の背面側には、図７に示した反射領域４５ａ，４５ｂ，４５ｃに夫々発光照射するための第３照明基板（第２の基板）１１２、第４照明基板（第２の基板）１１３及び第５照明基板（第２の基板）１１４が配設されており、照明装置３９の下方には表示装置４１の照明装置の発光源となる第６照明基板（第２の基板）１１６が配設されている。
【００５５】
中継照明基板１１８は、端子（第１の端子）１１８Ａに接続されたハーネス（第１の電気的接続ケーブル）１１８ｉｎを介してサブ基板１０５と結線されており、このサブ基板１０５から送られる制御信号を受信して、第１照明基板１１５、第２照明基板１１１、第３照明基板１１２、第４照明基板１１３、第５照明基板１１４、及び第６照明基板１１６の各照明基板に適宜中継する。
【００５６】
第１照明基板１１５と中継照明基板１１８とは、第１照明基板１１５側の端子１１５Ａと中継照明基板１１８側の端子１１９ｅとに接続されたハーネス１１８Ｌｅを介して結線されている。これにより、第１照明基板１１５は、上記サブ基板１０５からの制御信号を受信し、該信号に応答して、第１照明基板１１５上に配設されたＬＥＤを点灯もしくは消灯させることによって、センター飾り１２上部の照明装置４０に光装飾を施す。
【００５７】
第２照明基板１１１と中継照明基板１１８とは、第２照明基板１１１側の端子１１１Ａと中継照明基板１１８側の端子（第２の端子）１１９ａとに接続されたハーネス１１８Ｌａを介して結線されている。これにより、第２照明基板１１１及び中継照明基板１１８は、上記サブ基板１０５からの制御信号を受信し、夫々の基板上に配設されたＬＥＤを点灯もしくは消灯させることによって、センター飾り１２右側部の照明装置３９内に配設された反射領域４５ａ，４５ｂ，４５ｃに光装飾を施す。
【００５８】
第３照明基板１１２と中継照明基板１１８とは、第３照明基板１１２側の端子１１２Ａと中継照明基板１１８側の端子１１９（第２の端子）ｃとに接続されたハーネス１１８Ｌｃを介して結線されている。更に、第４照明基板１１３と中継照明基板１１８とは、第４照明基板１１３側の端子１１３Ａと中継照明基板１１８側の端子１１９（第２の端子）ｂとに接続されたハーネス１１８Ｌｂを介して結線され、第５照明基板１１４と中継照明基板１１８とは、第５照明基板１１４側の端子１１４Ａと中継照明基板１１８側の端子（第２の端子）１１９ｄとに接続されたハーネス１１８Ｌｄを介して結線されている。これらにより、第３照明基板１１２、第４照明基板１１３及び第５照明基板１１４は、上記サブ基板１０５からの制御信号を受信し、夫々の基板上に配設されたＬＥＤを点灯もしくは消灯させることによって、センター飾り１２右側部の照明装置３９内に配設された反射領域４５ａ，４５ｂ，４５ｃに光照射する。
【００５９】
第６照明基板１１６と中継照明基板１１８とは、第６照明基板１１６側の端子１１６Ａと中継照明基板１１８側の端子（第２の端子）１１９ｆとに接続されたハーネス１１８Ｌｆを介して結線されている。これにより、第６照明基板１１６は、上記サブ基板１０５からの制御信号を受信し、該信号に応答して、第６照明基板１１６上に実装されたＬＥＤを点灯もしくは消灯させることにより、これらＬＥＤをセンター飾り１２下部の表示装置４１の発光源とする。
【００６０】
次いで、上記昇降作動装置７４の詳細構造について図１０に沿って説明する。同図は照明ユニット２５を最上昇状態で示している。
【００６１】
すなわち、昇降作動装置７４は、枠体１２ａの後部一側に配置された電気モータＭと、この電気モータＭの回転を所定のギヤ列（図示せず）を介して受けて回転する駆動ギヤ７１と、駆動ギヤ７１に噛合した形で該ギヤ７１の回転を受けて回転する回転作動部材６９とを備えている。回転作動部材６９は、外周縁部近傍に１個の凸部６９ｂを有している。照明ユニット２５は、平行四辺形状を呈しており（例えば図１及び図４参照）、平行リンク機構Ｌによって、センター飾り１２の上下方向（鉛直方向）に、少なくとも開口１１の上縁部との平行状態を維持したまま移動（平行移動）し得るように支持されている。
【００６２】
平行リンク機構Ｌは、枠体１２ａの照明ユニット背面に位置決めされた回動軸５８を有する略三角形状のリンク部材５５と、枠体１２ａの照明ユニット背面における、回動軸５８と異なる位置に位置決めされた回動軸６０を有する略三角形状のリンク部材５６と、照明ユニット２５の下部側にて該ユニット２５の横方向（図１０の左右方向）に亘るように延在する作動バー部材８７とを有している。照明ユニット２５の背面に対向する枠体１２ａにおける、リンク部材５５，５６に夫々対応する位置には、照明ユニット２５の左右の辺と平行な一対ずつの案内溝８０，８１が形成されている。
【００６３】
一対の案内溝８０の一方には、左右方向に延在する昇降バー部材６６ａの中央部を照明ユニット２５側に固定するネジ（図示せず）が摺動自在に挿通され、且つ他方には、昇降バー部材６６ａに固定された形の案内部材８５が摺動自在に挿通されている。一対の案内溝８１の一方には、左右方向に延在する昇降バー部材６６ｂの中央部を照明ユニット２５側に固定するネジ（図示せず）が摺動自在に挿通され、且つ他方には、昇降バー部材６６ｂに固定された形の案内部材８６が摺動自在に挿通されている。昇降バー部材６６ａ，６６ｂの各左端部には凸部５７ａ，５７ｂが夫々形成されており、これら凸部５７ａ，５７ｂは、リンク部材５５，５６の各１つの頂点に形成された長孔５５ａ，５６ａに夫々摺動自在に嵌挿されている。
【００６４】
また作動バー部材８７は、上下方向に長い長孔７９を図中の左端部に有し、かつ、長孔７９の右方にやや距離をおいた位置と該位置から更に離れた他端部とに、作動バー部材８７の長手方向に長い長孔６２ａと長孔６３ａとを夫々有している。作動バー部材８７は、長孔６２ａ，６３ａに夫々対応する部分に突起部６２，６３を夫々有しており、これら突起部６２，６３には、上下方向に長い長孔６２ｂ，６３ｂが夫々形成されている。長孔６２ａ，６３ａには、枠体１２ａ側に位置決めされた凸部６７，６８が夫々摺動自在に嵌挿されており、これにより、作動バー部材８７が図１０の左右方向に摺動自在に支持される。長孔６２ｂ，６３ｂには、リンク部材５５，５６の他の頂点の近傍に形成された凸部６４，６５が夫々摺動自在に嵌挿されている。
【００６５】
また、枠体１２ａにおける駆動ギヤ７１のやや上方には、回動部材７０が支軸７０ａによって回動自在に支持されており、この回動部材７０の下端部には、図１０の反時計方向に回動する際の凸部６９ｂに係合しつつ同図左方に押圧される突出部７０ｂが形成されている。更に、回動部材７０の長手方向の略中間部には凸部７８が形成されており、この凸部７８は、作動バー部材８７の上記長孔７９に摺動自在に嵌挿している。作動バー部材８７は、上記他端部の近傍に一端が係止され且つ他端が枠体１２ａ側に係止された引張りバネ（図示せず）によって常時図１０の右方向に付勢されている。
【００６６】
次に、本実施形態におけるセンター飾りを搭載したパチンコ機１の制御系を図１２に沿って説明する。すなわち、本制御系は、主基板９２とサブ基板（第１の基板）１０５とを備え、この主基板９２とサブ基板１０５とは中継基板１１０を介して接続され、更にサブ基板１０５は中継基板１１０を介して払出し制御基板１２１等の各基板と接続されている。また、サブ基板１０５には中継照明基板１１８を介して、或いは中継照明基板１１８を介さずに、照明装置３９等の各種装置が接続されている。この主基板９２は、パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００６７】
主基板９２は、入賞判定手段９３、入賞信号出力手段９４、第１抽選手段９５、第２抽選手段９６、遊技制御手段９７、保留手段９８、作動制御手段９９、作動判定手段１００、及び作動決定手段１０１を備えている。また主基板９２には、始動チャッカー開閉ソレノイド１０３、アタッカー開閉ソレノイド１０４、及び始動チャッカー入賞検知センサ１０９が接続されている。
【００６８】
入賞判定手段９３は、発射ハンドル９の操作で作動する後述の発射装置１２９によって遊技領域７ａに打ち出された遊技球が始動チャッカー１６、入賞口２９，３０、アタッカー１７等の何れかに入賞したとき、当該入賞があった旨を判定する。
【００６９】
入賞信号出力手段９４は、入賞判定手段９３によって入賞が判定されたとき、対応する始動チャッカー１６、入賞口２９，３０、アタッカー１７等に入賞した旨の入賞信号を出力する。
【００７０】
第１抽選手段９５は、入賞信号出力手段９４からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００７１】
第２抽選手段９６は、第１抽選手段９５での大当たり抽選で確変当たりに当選した場合、不図示の演出用メモリに格納された演出乱数値に基づく抽選で、変動の結果、確変当たりに対応する「１１１」、「３３３」や「７７７」等の図柄が大当たり有効ライン上で最終的に揃う旨の変動パターンを決定し、その旨の変動パターンコマンドを出力する。なお、上記「大当たり有効ライン」は、大当たりを得るため図柄が一列に並ぶべき位置（ライン）を意味する。第２抽選手段９６はまた、第１抽選手段９５での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、この変動パターンコマンドを出力する。第２抽選手段９６は更に、第１抽選手段９５での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、この変動パターンコマンドを出力する。
【００７２】
遊技制御手段９７は、予め設定された演出データに応じて、演出用照明装置２３、照明ユニット２５、照明装置２８、照明装置３９に発光演出させるべき演出内容、或いは電気モータＭに照明ユニット２５の昇降駆動をさせるべき演出内容に関する信号を、制御コマンドと共にサブ基板１０５の演出制御手段１０６に送信する。また、遊技制御手段９７は、予め設定された演出データや第２抽選手段９６での抽選結果に応じて、図柄表示装置６に表示すべき演出内容に関する信号を、制御コマンドと共にサブ基板１０５の表示制御手段１０７に送信する。
【００７３】
保留手段９８は、第２抽選手段９６から出力された変動パターンコマンドを入力し、始動チャッカー１６への入賞の都度に行われた抽選の結果となる保留球として順次記憶する。当該記憶状況は、図柄表示装置６に備えた保留球表示部（図示せず）に、例えば最大４個の保留球として点灯表示される。保留手段９８は、例えば保留球数Ｈが０＜Ｈ＜５であるか否かを常時判定し、保留球数Ｈが４個表示されている間は、始動チャッカー１６への入賞に拘わらず大当たり抽選は行わない。なお、保留球として点灯表示される保留球数は上記「最大４個」に限らず、例えば３個以下、又は５個以上として適宜設定することも可能である。
【００７４】
そして保留手段９８は、保留（記憶）している変動パターンコマンドを順次表示制御手段１０７に送信し、この送信した変動パターンコマンドに基づく演出表示が終了するまでは次の変動パターンコマンドを送信しないようにするための図柄変動禁止フラグを立てる（オンする）と共に、当該オンした図柄変動禁止フラグを解除する時間を計測するための図柄変動タイマ（図示せず）をセットし、変動パターンコマンドの送信に応じて保留球数を１デクリメントする。また保留手段９８は、保留球の消費に応じて保留球数ＨがＨ＜４となった場合、第１抽選手段９５で行われる始動チャッカー１６への入賞に応答した大当たり抽選の結果を保留球として記憶し、保留球数を１インクリメントする。
【００７５】
作動制御手段９９は、作動決定手段１０１の作動開始決定の旨の信号に基づき、始動チャッカー開閉ソレノイド１０３に駆動信号を送って該ソレノイド４５を作動させて始動チャッカー１６を開放又は閉塞動作させる。更に作動制御手段９９は、アタッカー開閉ソレノイド１０４に駆動信号を送って該ソレノイド４１を作動させ、第１抽選手段９５での抽選による大当たり発生時にアタッカー１７を開放して所定数入賞が終了する（又は所定時間が経過する）毎に閉塞する動作を所定回数（所定ラウンド）だけ繰り返すように制御する。
【００７６】
作動判定手段１００は、始動チャッカー開閉ソレノイド１０３及びアタッカー開閉ソレノイド１０４を作動させるための条件を満たすか否かを判定する。つまり、始動チャッカー開閉ソレノイド１０３にあって、始動チャッカー１６の開閉の「条件を満たす」時とは、主基板９２において第１抽選手段９５の大当たり抽選とは別途行われる抽選で当選した場合である。アタッカー開閉ソレノイド１０４にあって、アタッカー１７の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー１７の閉塞の「条件を満たす」時とは、大当たり発生時における全ての入賞を完了した場合である。
【００７７】
作動決定手段１０１は、作動判定手段１００からの判定信号を受けて、始動チャッカー開閉ソレノイド１０３、アタッカー開閉ソレノイド１０４の作動開始を夫々に決定する。
【００７８】
始動チャッカー開閉ソレノイド１０３は、作動制御手段９９から送信された駆動信号に応答してプランジャ（図示せず）を進退動作させて、始動チャッカー１６を開閉動作させる。
【００７９】
アタッカー開閉ソレノイド１０４は、作動制御手段９９から送信された駆動信号に応答してプランジャ（図示せず）を進退動作させて、アタッカー１７を開閉動作させる。
【００８０】
始動チャッカー入賞検知センサ１０９は、近接スイッチから構成されて、始動チャッカー１６内の遊技球通過経路に配置されるもので、始動チャッカー１６に進入した遊技球Ｂａの通過を検知し、その検知信号を主基板９２に送る。
【００８１】
一方、サブ基板１０５は、演出制御手段１０６及び表示制御手段１０７を有しており、サブ基板１０５には、放音装置８、演出用照明装置２３、及び図柄表示装置６が接続されている。また、サブ基板１０５には、中継照明基板１１８を介して照明ユニット２５、照明装置２８、照明装置３９、照明装置４０、遊技球通過検知センサＰ、及び電気モータＭが接続され、更に、中継基板１１０を介して払出し制御基板１２１及び発射制御基板１２５が接続されている。
【００８２】
演出制御手段１０６は、遊技制御手段９７から送信された演出内容に関する信号に従って、放音装置８を適時放音駆動し、演出用照明装置２３、照明ユニット２５、照明装置３９及び照明装置４０を適時発光駆動し、また電気モータＭの駆動で照明ユニット２５を昇降作動させて、遊技者の聴覚や視覚に訴える演出を行う。また、演出制御手段１０６は、遊技制御手段９７から送信された演出内容に関する信号、及び遊技球通過検知センサＰから送信された検知信号に従って、照明装置２８を適時発光駆動して、クルーン部材３５から球導入案内路４２を経由して始動チャッカー１６に遊技球が落下する際の期待感を高めて遊技者の視覚に訴える演出を行う。
【００８３】
表示制御手段１０７は、遊技制御手段９７から送信された演出内容に関する信号に従って図柄表示装置６を適時駆動し、大当たり抽選結果を中心とした内容の演出を、遊技者の視覚に訴えるように演出表示する。
【００８４】
払出し制御基板１２１には払出し装置１２８が接続されており、該払出し制御基板１２１は、主基板９２の入賞判定手段９３によって始動チャッカー１６、入賞口２９，３０、アタッカー１７等の何れかに入賞があったと判定された旨の制御信号を、サブ基板１０５及び中継基板１１０を介して受信し、払出し装置１２８から所定数の遊技球の払出しを行う。
【００８５】
発射制御基板１２５に発射装置１２９が接続されており、該発射制御基板１２５は、発射ハンドル９の操作に基づいて送信される制御信号を、サブ基板１０５及び中継基板１１０を介して受信し、発射装置１２９を作動させることで遊技球を遊技盤面部７に打ち出す。
【００８６】
放音装置８、演出用照明装置２３、照明ユニット２５、照明装置２８、照明装置３９、照明装置４０及び図柄表示装置６は、上述したように各制御に応答して音、光等の発生や、図柄等の表示により、通常時の演出や大当たり時における特別な演出等を行う。
【００８７】
遊技球通過検知センサＰは、ワープ導入口３２から導入された後、クルーン部材３５の球落下孔ｈａを経由して球導入案内路４２に落下して球放出口５３側に案内される遊技球の通過を検知し、その検知信号を演出制御手段１０６に送信する。
【００８８】
電気モータＭは、演出制御手段１０６による制御に応答して、駆動ギヤ７１、回転作動部材６９、回動部材７０、作動バー部材８７、リンク部材５５，５６を夫々に作動させることで平行リンク機構Ｌを機能させ、照明ユニット２５を下降、上昇させると共に、下降した状態で鉛直方向に所定の周期で振動動作させるように作動する。
【００８９】
次に、パチンコ機１による作用について、図１３のフローチャートを併せて参照しつつ説明する。
【００９０】
すなわち、パチンコ機１に対面して着座した遊技者が発射ハンドル９を握り、適宜の角度に回動操作すると（ステップＳ１）、発射装置１２９の作動によって遊技球が所定の時間間隔で遊技領域７ａに向けて連続的に発射される。すると、遊技盤７の遊技領域７ａに打ち出されて転動落下する多数の遊技球は、始動チャッカー１６や入賞口２９，３０に適時入賞し、或いは、これらに寄与せずに転動落下して、遊技領域７ａ最下部のアウト口２２から遊技盤７背面側に排出される。
【００９１】
つまり、遊技領域７ａに向けて打ち出された多数の遊技球は、その一部がワープ導入口３２から導入される。ワープ導入口３２から導入された遊技球は、放出口３３から案内路３４を経由してクルーン部材３５内に放出され、底面３５ａ上をその周囲の側壁の内面に沿って回転するように転動する。クルーン部材３５上の遊技球は、摩擦抵抗等に起因して転動速度が弱まった段階で、球落下孔ｈａ，ｈｂ，ｈｃの何れか導入されて落下することとなる。
【００９２】
球落下孔ｈａに落下した場合、遊技球は、球導入案内路４２、球放出口５３を経由して始動チャッカー１６に向けて落下し、始動チャッカー１６に高確率で入賞し、或いは障害釘５９への当接状況により始動チャッカー１６に入賞できないこともある。
【００９３】
一方、球落下孔ｈｂ又はｈｃに落下した場合、遊技球は、転動案内面３６又は３７上に落下しその傾斜に沿って左右或いは前後方向に転動しつつ、壁部５２ａ，５２ｂ，５２ｃの何れかに接触したりして、転動案内面３８の湾曲面３８ａから湾曲面３８ｂ側に移動し、始動チャッカー１６側に落下することとなる。しかし、この場合の始動チャッカー１６への入賞確率は、球放出口５３から放出される際に比して大分低くなる。
【００９４】
なお、上記湾曲面３８ｂから落下する遊技球は、その落下方向が、始動チャッカー１６上の一対の障害釘５９の間を通過して入球し得る方向と異なる場合であっても、当該障害釘５９の左右に打ち込まれた不図示の所謂ジャンプ釘や、当該ジャンプ釘から左右方向に配列された道釘（図示せず）で弾かれることにより、所謂命釘である障害釘５９に絡んでその間を落下して始動チャッカー１６に入球することもある。
【００９５】
ところで、上述したように始動チャッカー１６や入賞口２９，３０の何れかに遊技球Ｂａが入賞した場合、入賞判定手段９３が当該入賞を判定し、且つ入賞信号出力手段９４が入賞信号を出力する（ステップＳ２）。この際、保留手段９８は、保留球Ｈが０＜Ｈ＜５であるか否かを常時判定しており、０＜Ｈ＜５を満たすと判定したときには、保留している変動パターンコマンドを、遊技制御手段９７を介して表示制御手段１０７に順次送信し、図柄変動禁止フラグをオンすると共に、図柄変動タイマをセットし、変動パターンコマンドの送信に応じて保留球数を１デクリメントする。また保留手段９８は、当該保留球の消費に応じて保留球数ＨがＨ＜４となった場合、第１抽選手段９５で行われる始動チャッカー１６への入賞に応じた大当たり抽選の結果を保留球として記憶し、保留球数を１インクリメントする。
【００９６】
そして、大当たり抽選で当選した場合（ステップＳ３）、第１抽選手段９５が当たりフラグをオンすると、第２抽選手段９６が、演出用メモリに格納された演出乱数値に基づく抽選で、大当たりの種別、つまり確変当たり又は通常当たりに対応する変動パターンを決定する。
【００９７】
これにより、ステップＳ４において、図柄表示装置６に表示されるべき当たり図柄がセットされ、第２抽選手段９６は、その旨の変動パターンコマンドを出力すると共に、当該変動パターンコマンドに基づく演出表示が終了するまでは次の変動パターンコマンドを送信しないようにするために図柄変動禁止フラグをオンし、当該オンした図柄変動禁止フラグを解除する時間を計測するための図柄変動タイマをセットし、変動パターンコマンドの送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置６に表示される外れ図柄がセットされ、第２抽選手段９６は、その旨の変動パターンコマンドを出力すると共に、図柄変動禁止フラグをオンし、図柄変動タイマをセットし、変動パターンコマンドの送信に応じて保留球数を１デクリメントする。
【００９８】
以上のようにして、遊技制御手段９７が、図柄表示装置６に表示すべき演出内容に関する信号を制御コマンドと共にサブ基板１０５の表示制御手段１０７に送信することに基づき、表示制御手段１０７が、図柄表示装置６を適時駆動し、大当たり抽選結果に関する内容等を、遊技者の視覚に訴えるように演出表示することとなる（ステップＳ５）。
【００９９】
そして、第１抽選手段９５での抽選結果が図柄表示装置６の画面上に表れると、作動制御手段９９が、作動決定手段１０１の作動開始決定の旨の信号に基づき、所定のタイミングでアタッカー開閉ソレノイド１０４に駆動信号を送り、当該ソレノイド１０４を作動させてアタッカー１７を開放し、所定数入賞が終了する（又は所定時間が経過する）毎に閉塞する動作を所定回数（所定ラウンド）だけ繰り返させる。これにより、アタッカー１７に入賞した遊技球に対応する多量の遊技球が球供給口１８から上皿１３に払い出されることとなる（ステップＳ６）。
【０１００】
また、上述した遊技中、図１３に示すステップＳ１〜Ｓ６の一連の処理に並行して、各種照明処理及び払出し処理が以下のように適時実行される。
【０１０１】
すなわち、パチンコ機１が起動状態（電源オン状態）となった際には、センター飾り１２内に設けられた各照明基板のうち、第１照明基板１１５、第３照明基板１１２、第４照明基板１１３、及び第５照明基板１１４が、主基板９２に記憶されたシステムプログラムの制御によって予め定められた各種の発光処理を行う。
【０１０２】
例えば、上記発光処理が各照明基板に対する点滅処理であった場合、この点滅を制御する制御信号は、タイマ等による計数処理によって所定の時間間隔をもって主基板９２から送信される。主基板９２から送信された制御信号は、まず、ハーネス１１０ａを介して中継基板１１０へと送信され、そこからハーネス１１０ｂを介してサブ基板１０５へと送信される。ここで、サブ基板１０５は演出制御手段１０６によって、この制御信号をサブ基板１０５から中継照明基板１１８へと送信し、更に、中継照明基板１１８からハーネス１１８Ｌｅ，１１８Ｌｃ，１１８Ｌｂ，１１８Ｌｄを介して上記第１照明基板１１５、第３照明基板１１２、第４照明基板１１３、及び第５照明基板１１４へと夫々送信することによって、各照明基板が有するＬＥＤの点滅制御を行う。これにより、センター飾り１２の上方及び左方に位置する照明装置３９，４０において、レンズ部材３９ａ，４０ａを通してオーラが立ち上がるような照明演出が遊技者に対して提供される。
【０１０３】
また、遊技領域７ａに向けて打ち出された遊技球が転動落下して始動チャッカー１６に入球したり、更には、始動チャッカー１６への入球を契機とした大当たり抽選で当選したりした際には、遊技者に対して好機である旨を通知するための各種演出表示が行われる。この各種演出表示を行う際の制御信号は、主基板９２からハーネス１１０ａを介して中継基板１１０へと送信され、更に、ハーネス１１０ｂを介してサブ基板１０５へと送信される。ここで、サブ基板１０５は、演出制御手段１０６を介して制御信号を中継照明基板１１８へと送信し、更に、中継照明基板１１８からハーネス１１８Ｌａ等を介して第２照明基板１１１等へと送信することによって、各照明基板が有するＬＥＤの点滅制御を行う。上記制御により、例えば、図７に示すセンター飾り１２の右方に位置する導光部材４３ａ〜４３ｃを通して北斗七星を具現化した照明演出等が遊技者に対して提供されたり、表示装置４１による保留球の表示が行われたりする。
【０１０４】
更に、遊技領域７ａに向けて打ち出された遊技球が転動落下して、始動チャッカー１６、入賞口２９，３０、アタッカー１７の何れかに入球した際には、主基板９２の入賞判定手段９３によって入賞が判定され、その旨の制御信号、例えば遊技球の払出し制御信号が主基板９２から送信される。この主基板９２から送信された払出し制御信号は、まず、ハーネス１１０ａを介して中継基板１１０へと送信され、そこからハーネス１１０ｂを介してサブ基板１０５へと送信され、サブ基板１０５からハーネス１１０ｇを介して中継基板１１０へと送信され、更に、ハーネス１１０ｃを介して払出し制御基板１２１へと送信される。この制御信号を受信した払出し制御基板１２１は、払出し装置１２８を制御することによって上皿１３に遊技球の払出しを行う。
【０１０５】
ところで、従来のパチンコ機の背面側にあっては、主基板９２と、サブ基板１０５、払出し制御基板１２１、及び発射制御基板１２５等の他の基板とは、比較的長尺なハーネスを用いて互いに直接結線させることが一般的となっている（図示せず）。しかし、上述したように、パチンコ機１の背面側では、主基板９２と他の基板とが、夫々短く平均化された長さのハーネスによって中継基板１１０を介して直線的に結線されている。これにより、ハーネスに余剰部分が生じることを抑制できるため、組付け時に発生し得る、ハーネスの結束、引き回し、及び収納等の作業を省くことができ、作業性の向上を図ることができる。また、保守による基板交換等の作業時においては、ハーネスの長さが十分短いことから、前扉３を開閉することによってハーネスを噛み込んだりすることなく作業を円滑に進めることができるようになる。
【０１０６】
また、図１１に示したように、センター飾り１２内部に配設される各種照明基板にあっては、中継照明基板１１８を起点とし、第１照明基板１１５、第２照明基板１１１、第３照明基板１１２、第４照明基板１１３、第５照明基板１１４、及び第６照明基板１１６が夫々、より短く平均化された長さのハーネスによって放射状に結線されている。これにより、ハーネスに余剰部分が生じることが抑制できるため、センター飾り１２の組付け時に発生し得る、ハーネスの結束、引き回し、及び収納等の作業を省くことができ、作業性の向上を図ることができる。また、保守による基板交換等の作業時においては、利用するハーネスの長さが十分短いことから、各種照明基板の設置時にハーネスを噛み込んだりすることなく作業を円滑に進めることができるようになる。
【０１０７】
以上説明した本実施形態によると、センター飾り１２が備える中継照明基板１１８が、第１照明基板１１５、第２照明基板１１１、第３照明基板１１２、第４照明基板１１３、第５照明基板１１４、及び第６照明基板１１６と夫々にハーネス１１８Ｌａ〜１１８Ｌｆを介して接続されてなるので、各基板相互の経路間に中継照明基板１１８を配設し、この中継照明基板１１８を介して互いに結線状態とすることで、サブ基板１０５からの電気信号を円滑に受信することができるようになる。これにより、各基板同士を直接結線する場合に比して、短く分割したハーネスを用いて中継照明基板１１８を介して各基板同士を結線させ合うことができるので、ハーネスの絡み合いや干渉が抑制できるようになる。更に、短いハーネスを用いることにより、ハーネスを収納させる際の引き回し構造が簡単化でき、ハーネスを収納するための配設空間をも節約することができるようになる。
【０１０８】
また、上述した各基板同士の接続を、中継照明基板１１８を介して行うことにより、各ハーネスの長さを分割して短くすることができるので、ハーネスに余剰部分が生じなくなる。これによって、ハーネスを収納し易くするように結束させる必要がなくなるので、結束させる際の折り曲げ等の押圧力が加わる機会が減少し、ハーネスの心部に設けられた導体線の損傷の発生が抑制されることとなる。
【０１０９】
また、開口１１を有するセンター飾り１２は、全体に「ロの字」状を呈しており、多くの場合、そこに配置される第１照明基板１１５、第２照明基板１１１、第３照明基板１１２、第４照明基板１１３、第５照明基板１１４、及び第６照明基板１１６等を夫々に直線的に結線できない場合が起こり得る。例えば、第１照明基板１１５と第４照明基板１１３とをハーネスで「くの字」状となるように結線させなくてはならない際には、「くの字」の曲折した先端位置に中継照明基板１１８を配設してハーネスを中継させることによってハーネスの遊び部分を無くすことができ、ハーネスの絡み合いや干渉を抑制することができるようになる。これにより、センター飾り１２を遊技盤７の背面に組付ける際に、ハーネスの余剰部分を噛み込んで作業が停滞すること等を防止できるので、パチンコ機１の組付工程における作業性の向上を図ることができるようになる。
【０１１０】
また、各基板同士の接続を中継照明基板１１８を介して行うことにより、各ハーネスの長さを分割して短くすることができるので、ハーネスに余剰部分が生じなくなる。これによって、ハーネスの余剰部分をセンター飾り１２内部に収納し易くなるように結束させる必要がなくなるので、結束させる際の折り曲げ等の押圧力がハーネスに加えられる機会が減少し、ハーネスの心部に設けられた導体線の損傷等の発生が抑制されることとなる。
【０１１１】
以上、本発明をその好適な実施の形態に基づいて説明したが、本発明の遊技機用ユニット役物は、上記実施形態の構成にのみ限定されるものではなく、上記実施形態の構成から種々の修正及び変更を施した遊技機用ユニット役物も、本発明の範囲に含まれる。
【図面の簡単な説明】
【０１１２】
【図１】本実施の形態におけるセンター飾りを備えたパチンコ機の外部構造を示す正面図である。
【図２】パチンコ機の裏面を示す背面図である。
【図３】パチンコ機に搭載されたセンター飾りを単体で示す斜視図である。
【図４】本実施の形態におけるセンター飾りを示す正面図である。
【図５】図４に示したセンター飾りを同図Ｆ-Ｆ線に沿って切断して矢視方向に見た状態で示す側面断面図である。
【図６】図４に示したセンター飾りを同図Ｃ-Ｃ線に沿って切断して矢視方向に見た状態で示す平面断面図である。
【図７】センター飾りを照明ユニットと照明装置からカバーを夫々外した状態で示す正面図である。
【図８】図７に示したセンター飾りをやや水平方向に回動させた状態で示す斜視図である。
【図９】センター飾りの背面図である。
【図１０】図９のセンター飾りからカバーを外した状態で示す背面図である。
【図１１】図９のセンター飾り内部の配線を示す背面図である。
【図１２】パチンコ機の制御系を示すブロック図である。
【図１３】パチンコ機の作用を示すフローチャートである。
【符号の説明】
【０１１３】
６：図柄表示装置（表示装置）
１１：開口（開口部）
１２：センター飾り（ユニット役物）
１６：始動チャッカー（入賞口）
１０５：サブ基板（第１の基板）
１１１：第２照明基板（第２の基板）
１１１Ａ〜１１６Ａ：端子
１１２：第３照明基板（第２の基板）
１１３：第４照明基板（第２の基板）
１１４：第５照明基板（第２の基板）
１１５：第１照明基板（第２の基板）
１１６：第６照明基板（第２の基板）
１１８：中継照明基板（中継基板）
１１８Ａ：端子（第１の端子）
１１８Ｌａ〜１１８Ｌｆ：ハーネス（第２の電気的接続ケーブル）
１１８ｉｎ：ハーネス（第１の電気的接続ケーブル）
１１９ａ〜１１９ｆ：端子（第２の端子）
【図１】
2006230895.tif 000003
【図２】
2006230895.tif 000004
【図３】
2006230895.tif 000005
【図４】
2006230895.tif 000006
【図５】
2006230895.tif 000007
【図６】
2006230895.tif 000008
【図７】
2006230895.tif 000009
【図８】
2006230895.tif 000010
【図９】
2006230895.tif 000011
【図１０】
2006230895.tif 000012
【図１１】
2006230895.tif 000013
【図１２】
2006230895.tif 000014
【図１３】
2006230895.tif 000015